(57)【要約】【課題】ダイオードの順方向電圧降下の温度特性に依存せずに高精度に電圧を検出することができる電圧検出回路を提供する。【解決手段】電圧検出回路は、トランスによって伝達される検出対象の電圧を受ける第１のコイルと、前記第１のコイルによって受けられた電圧を整流する第１のダイオードと、前記第１のダイオードによって整流された電圧が印加される第１の抵抗成分と、前記第１のダイオードと極性が一致するように配置された第２のダイオードと、前記第２のダイオードと直列に配置された第２の抵抗成分と、前記第２のダイオードと前記第２の抵抗成分との組み合わせの両端に設けられた電圧検出端子と、を備え、前記第１のダイオードの順方向電圧降下の温度特性と、前記第２のダイオードの順方向電圧降下の温度特性とは、同じまたはほぼ同じである。【選択図】図１
2020112484.tif 000002
【特許請求の範囲】
【請求項１】
トランスによって伝達される検出対象の電圧を受ける第１のコイルと、
前記第１のコイルによって受けられた電圧を整流する第１のダイオードと、
前記第１のダイオードによって整流された電圧が印加される第１の抵抗成分と、
前記第１のダイオードと極性が一致するように配置された第２のダイオードと、
前記第２のダイオードと直列に配置された第２の抵抗成分と、
前記第２のダイオードと前記第２の抵抗成分との組み合わせの両端に設けられた電圧検出端子と、を備え、
前記第１のコイルに前記第１のダイオード、前記第１の抵抗成分、前記第２の抵抗成分、前記第２のダイオードが接続されており、
前記第２の抵抗成分および前記第２のダイオードは、前記第１のコイルに対して前記第１のダイオードよりも前記電圧検出端子の側に配置されており、
前記第１のダイオードの順方向電圧降下の温度特性と、前記第２のダイオードの順方向電圧降下の温度特性とは、同じまたはほぼ同じである、
電圧検出回路。
【請求項２】
前記第２の抵抗成分と前記第２のダイオードとの間の点と接続されるバイアス回路を備える、
請求項１に記載の電圧検出回路。
【請求項３】
前記バイアス回路は、前記第２のダイオードに一定の電流を流す、
請求項２に記載の電圧検出回路。
【請求項４】
前記バイアス回路は、前記第２のダイオードに、前記第１のコイルによって受けられる前記電圧の電圧値に応じた電流を流す、
請求項２に記載の電圧検出回路。
【請求項５】
前記バイアス回路は、前記第２のダイオードに、前記第１のダイオードに流れる電流の電流値に応じた電流を流す、
請求項２に記載の電圧検出回路。
【請求項６】
前記第１の抵抗成分の抵抗値と前記第２のダイオードの順方向電圧降下の電圧値との積と、前記第２の抵抗成分の抵抗値と前記第１のダイオードの順方向電圧降下の電圧値との積とは、同じまたはほぼ同じである、
請求項１から請求項５のいずれか１項に記載の電圧検出回路。
【請求項７】
前記第１の抵抗成分の抵抗値と前記第２の抵抗成分の抵抗値とは、同じまたはほぼ同じである、
請求項１から請求項６のいずれか１項に記載の電圧検出回路。
【請求項８】
前記第１のダイオードと前記第２のダイオードは、当該電圧検出回路が備えられる筐体に設けられるヒートシンクに配置される、
請求項１から請求項７のいずれか１項に記載の電圧検出回路。
【発明の詳細な説明】
【技術分野】
【０００１】
本発明は、電圧検出回路に関する。
【背景技術】
【０００２】
電圧を検出する電圧検出回路が知られている。
例えば、絶縁が必要な箇所の電圧を検出する電圧検出回路では、一般的に、トランスによって絶縁し、ダイオードを介して電圧を検出する。
このような回路では、ダイオードの順方向電圧に温度依存性があるため、周囲の温度によって検出される電圧に誤差が生じ得る。
【０００３】
特許文献１に記載された電流検出回路では、カレントトランスと整流手段とＡ／Ｄコンバータを有し、当該カレントトランスの１次側に負荷電流を流し、当該カレントトランスの２次側出力に並列に抵抗を接続するとともに出力電圧を当該整流手段により整流して、整流後の直流電圧を当該Ａ／Ｄコンバータに入力して、当該Ａ／Ｄコンバータの出力によって負荷電流の大きさを検知する。また、当該電流検出回路において、当該カレントトランスの２次側出力に並列に接続する抵抗に直列に、二つのダイオードを異方向に並列に接続した回路または二つのダイオードを同極に直列に接続した回路を異方向に並列接続したＶｆ補正回路を接続している（特許文献１参照。）。
当該電流検出回路では、当該カレントトランスを用いて電流を電圧に変換すること、当該カレントトランスからの交流出力を整流手段で受けて、電流に比例した直流の電圧信号を生成すること、当該整流手段である整流素子（ダイオード）の順方向電圧降下（Ｖｆ）の温度変動をＶｆ補償回路によって補償することが行われる。
【先行技術文献】
【特許文献】
【０００４】
【特許文献１】特開２００１−３５６１４０号公報
【発明の概要】
【発明が解決しようとする課題】
【０００５】
しかしながら、特許文献１に記載された回路は電流検出回路であり、電圧検出回路におけるダイオードの順方向電圧降下の補償については開示されていない。
【０００６】
本発明は、このような事情を考慮してなされたもので、ダイオードの順方向電圧降下の温度特性に依存せずに高精度に電圧を検出することができる電圧検出回路を提供することを課題とする。
【課題を解決するための手段】
【０００７】
本発明の一態様は、トランスによって伝達される検出対象の電圧を受ける第１のコイルと、前記第１のコイルによって受けられた電圧を整流する第１のダイオードと、前記第１のダイオードによって整流された電圧が印加される第１の抵抗成分と、前記第１のダイオードと極性が一致するように配置された第２のダイオードと、前記第２のダイオードと直列に配置された第２の抵抗成分と、前記第２のダイオードと前記第２の抵抗成分との組み合わせの両端に設けられた電圧検出端子と、を備え、前記第１のコイルに前記第１のダイオード、前記第１の抵抗成分、前記第２の抵抗成分、前記第２のダイオードが接続されており、前記第２の抵抗成分および前記第２のダイオードは、前記第１のコイルに対して前記第１のダイオードよりも前記電圧検出端子の側に配置されており、前記第１のダイオードの順方向電圧降下の温度特性と、前記第２のダイオードの順方向電圧降下の温度特性とは、同じまたはほぼ同じである、電圧検出回路である。
【発明の効果】
【０００８】
本発明によれば、電圧検出回路において、ダイオードの順方向電圧降下の温度特性に依存せずに高精度に電圧を検出することができる。
【図面の簡単な説明】
【０００９】
【図１】本発明の一実施形態に係る電源装置の概略的な構成を示す図である。
【図２】本発明の一実施形態に係る電源装置の回路構成を示す図である。
【図３】本発明の第１実施形態に係る電圧検出回路の回路構成を示す図である。
【図４】本発明の第２実施形態に係る電圧検出回路の回路構成を示す図である。
【図５】本発明の第３実施形態に係る電圧検出回路の回路構成を示す図である。
【図６】本発明の第４実施形態に係る電源装置の回路構成を示す図である。
【図７】本発明の第５実施形態に係る電源装置の回路構成を示す図である。
【発明を実施するための形態】
【００１０】
以下、図面を参照し、本発明の実施形態について説明する。
【００１１】
（第１実施形態）
＜電源装置の概要＞
図１は、本発明の一実施形態に係る電源装置１の概略的な構成を示す図である。
図１には、電源装置１とともに、負荷２１を示してある。電源装置１と負荷２１とは接続されている。
電源装置１は、スイッチング電源１１と、電圧検出回路１２と、制御回路１３を備える。
また、電源装置１は、当該電源装置１の筐体（図示を省略する。）に、ヒートシンク１４を備える。
【００１２】
電源装置１には、直流の電圧Ｖｉｎが印加される。当該電圧Ｖｉｎは、電源装置１の外部の電源から供給されてもよく、あるいは、電源装置１の内部の電源から供給されてもよい。電源としては、例えば、商用電源が用いられてもよく、あるいは、直流のバッテリーが用いられてもよい。
本実施形態では、説明の便宜上、電圧Ｖｉｎを入力電圧Ｖｉｎと呼ぶこともある。
【００１３】
スイッチング電源１１は、入力電圧Ｖｉｎを用いて、電圧Ｖｏｕｔを出力する。電圧Ｖｏｕｔの電圧値は、例えば、あらかじめ、希望の値となるように設定される。
本実施形態では、説明の便宜上、電圧Ｖｏｕｔを出力電圧Ｖｏｕｔと呼ぶこともある。
ここで、スイッチング電源１１は、入力電圧Ｖｉｎを出力電圧Ｖｏｕｔへ変換する。通常、入力電圧Ｖｉｎと出力電圧Ｖｏｕｔとは異なる。
一般に、スイッチング電源１１では、半導体スイッチのオンオフの切り替えを制御して、整流することで、安定化した直流電圧を得る。
スイッチング電源１１から出力される出力電圧Ｖｏｕｔは、負荷２１に印加される。負荷２１は、出力電圧Ｖｏｕｔを用いて、所定の動作を行う。
負荷２１としては、様々なものが用いられてもよい。
【００１４】
電圧検出回路１２は、入力電圧Ｖｉｎを用いて、入力電圧Ｖｉｎに応じた所定の電圧Ｖｄｅｔを検出する。
本実施形態では、説明の便宜上、電圧Ｖｄｅｔを検出電圧Ｖｄｅｔと呼ぶこともある。
ここで、検出電圧Ｖｄｅｔは、例えば、入力電圧Ｖｉｎに比例する。
【００１５】
制御回路１３は、電圧検出回路１２によって検出される検出電圧Ｖｄｅｔに基づいて、スイッチング電源１１を制御する。これにより、制御回路１３は、入力電圧Ｖｉｎによらずに、スイッチング電源１１から負荷２１に供給される電圧Ｖｏｕｔを一定の電圧に制御する。
他の例として、制御回路１３は、電圧検出回路１２によって検出される検出電圧Ｖｄｅｔに基づいて、過電圧の状態を検出してもよい。制御回路１３は、過電圧の状態を検出した場合、アラームを出力してもよい。アラームの出力は、例えば、画面または光などによる表示の出力であってもよく、あるいは、スピーカによる音の出力であってもよい。
なお、制御回路１３では、様々な制御が行われてもよい。
【００１６】
ヒートシンク１４は、例えば、電源装置１の筐体の外面に配置されている。ヒートシンク１４は、冷却用であり、放熱を行う。
なお、ヒートシンク１４の形状、配置箇所などとしては、様々な態様が用いられてもよい。
【００１７】
＜電源装置の回路構成＞
図２は、本発明の一実施形態に係る電源装置１の回路構成を示す図である。
スイッチング電源１１は、トランジスタ１１１と、制御回路１１２と、トランス１０１と、ダイオード１３２と、ダイオード１３３と、コイル１３４と、コンデンサ１３５を備える。
トランス１０１は、１次側のコイル１１３と、２次側のコイル１３１と、鉄心１２１を備える。これらのコイル１１３、１３１は、例えば、１次側と２次側で鉄心１２１に巻かれている。
【００１８】
電圧検出回路１２は、コイル２１１と、ダイオード２１２と、コンデンサ２１３と、抵抗２１４と、抵抗２１５と、ダイオード２１６と、バイアス回路２１７を備える。
また、図２には、電圧検出回路１２によって検出された電圧が出力される端子である電圧検出端子１０１１〜１０１２を示してある。
ここで、コイル２１１は、例えば、トランス１０１の鉄心１２１に巻かれている。なお、図２の例では、説明の便宜上、トランス１０１の鉄心１２１が電圧検出回路１２のコイル２１１のところまで延びているように図示されているが、トランス１０１の鉄心１２１の形状は特に限定されない。
また、本実施形態では、制御回路１１２の詳しい回路構成については、説明を省略する。電圧検出回路１２から見て制御回路１３の側は、例えば、電流が流れない場合、ハイインピーダンスであるとみなされる。
【００１９】
＜スイッチング電源＞
トランジスタ１１１は、スイッチング素子として用いられる。
本実施形態では、トランジスタ１１１として、電界効果トランジスタ（ＦＥＴ：Ｆｉｅｌｄ  Ｅｆｆｅｃｔ  Ｔｒａｎｓｉｓｔｏｒ）が用いられている。他の例として、トランジスタ１１１として、バイポーラトランジスタが用いられてもよい。
【００２０】
トランジスタ１１１のゲート端子とソース端子との間に、制御回路１１２が接続されている。
トランジスタ１１１のドレイン端子に、１次側のコイル１１３の一端が接続されている。
トランジスタ１１１のソース端子と１次側のコイル１１３の他端との間に、入力電圧Ｖｉｎが印加される。
【００２１】
制御回路１１２は、トランジスタ１１１のゲート端子に印加される電圧を制御することで、パルス状の電圧をトランス１０１の１次側のコイル１１３に印加する。
本実施形態では、制御回路１１２は、ＰＷＭ（Ｐｕｌｓｅ  Ｗｉｄｔｈ  Ｍｏｄｕｌａｔｉｏｎ）制御を行う。他の例として、制御回路１１２は、位相シフト制御を行ってもよい。
【００２２】
トランス１０１は、電圧変換用のトランスである。トランス１０１は、１次側と２次側とを絶縁している。
トランス１０１では、１次側のコイル１１３に流れる交流電流によって変動磁場を発生する。そして、当該変動磁場によって、２次側のコイル１３１に電流を流して、２次側のコイル１３１に電圧を発生させる。このように、トランス１０１では、電磁誘導によって、１次側のコイル１１３から２次側のコイル１３１にエネルギーを伝達する。
このとき、２個のコイル１１３、１３１の巻き数の比に応じて、２次側のコイル１３１に発生する電圧が変化する。具体的には、１次側のコイル１１３の巻き数をＮ１（Ｎ１は１以上の整数である。）と表し、２次側のコイル１３１の巻き数をＮ２（Ｎ２は１以上の整数である。）と表すと、１次側のコイル１１３にかかる電圧に対して、２次側のコイル１３１にかかる電圧が（Ｎ２／Ｎ１）倍になる。
【００２３】
トランス１０１の２次側のコイル１３１の一端と、ダイオード１３２のアノード端子とが接続されている。ダイオード１３２のカソード端子と、コイル１３４の一端とが接続されている。
トランス１０１の２次側のコイル１３１の他端と、ダイオード１３３のアノード端子とが接続されている。ダイオード１３２のカソード端子と、ダイオード１３３のカソード端子とコイル１３４の一端との間の点とが接続されている。
トランス１０１の２次側のコイル１３１の他端と、コンデンサ１３５の一端とが接続されている。コイル１３４の他端と、コンデンサ１３５の他端とが接続されている。
【００２４】
このように、ダイオード１３２とコイル１３４とが直列に接続されている。また、コイル１３１と、ダイオード１３３と、コンデンサ１３５とが、並列に接続されている。
ダイオード１３２は、電圧を整流する。コンデンサ１３５は、電圧を平滑する。
スイッチング電源１１では、コイル１３４の他端とトランス１０１の２次側のコイル１３１の他端との間の電圧が出力電圧Ｖｏｕｔとして用いられている。
コイル１３４の他端とトランス１０１の２次側のコイル１３１の他端が、負荷２１と接続されている。これにより、スイッチング電源１１から負荷２１に出力電圧Ｖｏｕｔが印加される。
【００２５】
ここで、スイッチング電源１１としては、トランスを介していれば、様々な電源が用いられてもよく、例えば、フォワード方式の電源、フライバック方式の電源、プッシュプル方式の電源、ハーフブリッジ方式の電源、あるいは、フルブリッジ方式の電源などが用いられてもよい。
【００２６】
＜電圧検出回路＞
コイル２１１は、トランス１０１の１次側のコイル１１３に対して、電圧検出用として２次側のコイルのように機能する。
本実施形態では、トランス１０１では、１次側のコイル１１３に流れる交流電流によって変動磁場を発生する。そして、当該変動磁場によって、電圧検出用のコイル２１１に電流を流して、当該コイル２１１に電圧を発生させる。このとき、２個のコイル１１３、２１１の巻き数の比に応じて、電圧検出用のコイル２１１に発生する電圧が変化する。具体的には、１次側のコイル１１３の巻き数をＮ３（Ｎ３は１以上の整数である。本実施形態では、Ｎ３＝Ｎ１である。）と表し、電圧検出用のコイル２１１の巻き数をＮ４（Ｎ４は１以上の整数である。）と表すと、１次側のコイル１１３にかかる電圧に対して、電圧検出用のコイル２１１にかかる電圧がａ（＝Ｎ４／Ｎ３）倍になる。
【００２７】
コイル２１１の一端と、ダイオード２１２のアノード端子とが接続されている。ダイオード２１２のカソード端子と、抵抗２１４の一端とが接続されている。
コイル２１１の他端と、コンデンサ２１３の一端とが接続されている。コンデンサ２１３の他端と、ダイオード２１２のカソード端子と抵抗２１４の一端との間の点とが接続されている。
【００２８】
抵抗２１４の他端と、抵抗２１５の一端とが接続されている。抵抗２１５の他端と、ダイオード２１６のアノード端子とが接続されている。ダイオード２１６のカソード端子と、コイル２１１の他端とが接続されている。抵抗２１５の他端とダイオード２１６のアノード端子との間の点に、バイアス回路２１７が接続されている。
なお、図２の例では、バイアス回路２１７の接続関係は概略を示してあり、異なる接続関係となり得る。
【００２９】
一方の電圧検出端子１０１１はダイオード２１６のカソード端子と接続されており、他方の電圧検出端子１０１２は抵抗２１４の他端と接続されている。
そして、これら２個の電圧検出端子１０１１〜１０１２の間に印加される電圧Ｖｄｅｔが、電圧検出回路１２によって検出された電圧として、電圧検出回路１２から制御回路１３に出力される。
【００３０】
このように、ダイオード２１２と抵抗２１４とが直列に接続されている。また、コイル２１１と、コンデンサ２１３と、抵抗２１５とダイオード２１６とが接続されたものが、並列に接続されている。
電圧検出回路１２では、抵抗２１４の他端とコイル２１１の他端との間の電圧が検出電圧Ｖｄｅｔとして用いられる。
抵抗２１４の他端とコイル２１１の他端が、制御回路１３と接続されている。これにより、電圧検出回路１２によって検出される検出電圧Ｖｄｅｔが制御回路１３に入力される。
【００３１】
本実施形態では、抵抗２１５およびダイオード２１６は、コイル２１１に接続されるダイオード２１２よりも負荷の側（本実施形態では、電圧検出端子１０１１〜１０１２の側）に配置されている。
そして、コイル２１１の両端の間に、極性（順方向あるいは整流方向）が一致したダイオード２１２およびダイオード２１６と抵抗２１４および抵抗２１５が直列に接続されていて、抵抗２１５とダイオード２１６との組み合わせの両端のそれぞれに電圧検出端子１０１１、１０１２が設けられている。なお、本実施形態では、抵抗２１５とダイオード２１６とは、直接接続されている。
また、抵抗２１５とダイオード２１６との組み合わせの両端の間に、平滑化用のコンデンサ２１３が配置されている。
なお、ダイオード２１２と抵抗２１４とは、例えば、直接接続されていてもよく、あるいは、他の回路素子を介して、離れて配置されていてもよい。
【００３２】
ここで、コイル２１１は、トランス１０１によって１次側のコイル１１３から伝達される電圧を電磁誘導によって受ける。
ダイオード２１２は、コイル２１１によって受けられた電圧を整流する。ダイオード２１２は、順方向電圧降下について温度特性を有する。
コンデンサ２１３は、コイル２１１によって受けられた電圧を平滑化する。
ダイオード２１６は、順方向電圧降下について温度特性を有する。そして、ダイオード２１６は、ダイオード２１２の順方向電圧降下の温度特性を補償する。つまり、ダイオード２１６は、ダイオード２１２の順方向電圧降下の温度特性によって生じる影響を低減する。
【００３３】
本実施形態では、電圧検出回路１２は、入力電圧Ｖｉｎの検出を行う。つまり、電圧検出回路１２によって検出される検出電圧Ｖｄｅｔは、コイル２１１によって受けられる電圧に応じた値となり、すなわち、入力電圧Ｖｉｎに応じた値となる。電圧検出回路１２は、ダイオード２１２を経由する電圧を検出するため、ダイオード２１２の順方向電圧降下の温度特性の影響を受ける。電圧検出回路１２では、ダイオード２１２の順方向電圧降下の温度特性が補償されないと、周囲の温度に応じて、検出される電圧にずれが生じ得る。
そこで、本実施形態では、ダイオード２１６の順方向電圧降下の温度特性によって、ダイオード２１２の順方向電圧降下の温度特性を補償する。
【００３４】
＜ダイオードの順方向電圧降下の温度特性の補償について＞
本実施形態では、ダイオード２１２の順方向電圧降下の電圧値をＶｆ１と表し、ダイオード２１６の順方向電圧降下の電圧値をＶｆ２と表す。また、抵抗２１４の抵抗値をＲ１と表し、抵抗２１５の抵抗値をＲ２と表す。
この場合、式（１）が成り立つ。なお、本実施形態では、＊は乗算を表す。
【００３５】
【数１】
2020112484.tif 000003
【００３６】
バイアス回路２１７は、｛Ｒ１＊Ｖｆ２−Ｒ２＊Ｖｆ１＝０｝となるように、ダイオード２１６に流れる電流を制御して、ダイオード２１６の順方向電圧降下の電圧値Ｖｆ２を制御する。
ここで、本実施形態では、ダイオード２１６とダイオード２１２として、順方向電圧降下について同じ温度特性を有するものが用いられている。なお、同じ温度特性としては、例えば、誤差が許容される個体差などがあってもよく、ほぼ同じ温度特性であってもよい。
また、本実施形態では、抵抗２１４と抵抗２１５として、同じ抵抗値を有するものが用いられている。なお、同じ抵抗値としては、例えば、誤差が許容される個体差などがあってもよく、ほぼ同じ抵抗値であってもよい。
本実施形態では、ダイオード２１６に流れる電流の電流値と、ダイオード２１２に流れる電流の電流値とが同じになるように設定されている。そして、ダイオード２１２で発生する順方向電圧降下の電圧値Ｖｆ１と、ダイオード２１６で発生する順方向電圧降下の電圧値Ｖｆ２とが同じ（または、ほぼ同じ）になる。
【００３７】
この場合、検出電圧Ｖｄｅｔに、ダイオード２１２の順方向電圧降下の電圧値Ｖｆ１あるいはダイオード２１６の順方向電圧降下の電圧値Ｖｆ２を含む成分が含まれなくなり、検出電圧Ｖｄｅｔがこれらの電圧値Ｖｆ１、Ｖｆ２に影響されなくなる。つまり、ダイオード２１２の順方向電圧降下の電圧値Ｖｆ１の影響が、ダイオード２１６の順方向電圧降下の電圧値Ｖｆ２の影響によって、打ち消される。なお、このような打ち消しは、必ずしも完全な打ち消しでなくてもよく、実用上で有効な程度で、ダイオード２１２の順方向電圧降下の電圧値Ｖｆ１の影響が低減されればよい。
【００３８】
このように、本実施形態に係る電圧検出回路１２では、整流のためのダイオード２１２の順方向電圧降下の温度特性に依存せずに、高精度に電圧を検出することができる。
本実施形態に係る電圧検出回路１２では、検出電圧Ｖｄｅｔに生じるダイオード２１２の温度特性の影響を打ち消すように、ダイオード２１６を有する回路部分を配置した。当該回路部分は、本実施形態では、抵抗２１５とダイオード２１６からなる回路部分であり、さらに、バイアス回路２１７を含んでもよい。
これにより、本実施形態に係る電圧検出回路１２では、温度の変動による検出電圧Ｖｄｅｔのずれを低減することができる。
そして、本実施形態に係る電圧検出回路１２では、例えば、電圧検出結果が温度に依存してずれることで過電圧保護あるいは低電圧保護がずれて素子に影響が与えられるといったことを抑制することができる。
【００３９】
ここで、ダイオード２１２およびダイオード２１６は、例えば、温度が同じまたは温度が近いとみなされるところに設置されることが好ましい。
ダイオード２１２およびダイオード２１６は、例えば、温度が高いところ、または、逆に、温度が高いところから離れているところ、つまり、温度が高いところから受ける温度の影響が小さいとみなされるところ、に備えられることが好ましい。
具体例として、ダイオード２１２およびダイオード２１６は、スイッチング電源１１におけるトランジスタ１１１の近傍に備えられてもよい。トランジスタ１１１は、パワー半導体であり、発熱体であって、高い温度となり得る。トランジスタ１１１は、例えば、電源装置１のベースプレート（図示せず）に配置される。
また、具体例として、ダイオード２１２およびダイオード２１６は、電源装置１のヒートシンク１４に備えられることが好ましく、ヒートシンク１４の表面に備えられてもよい。
また、電源装置１において、事前に温度が測定されて同じ温度または近い温度となる箇所にダイオード２１２およびダイオード２１６が配置されてもよい。
【００４０】
例えば、ダイオード２１２およびダイオード２１６は、同じパッケージのものであってもよい。具体例として、２個のダイオードが入ったパッケージが用いられて、これら２個のダイオードがそれぞれダイオード２１２とダイオード２１６として用いられてもよい。この場合、これら２個のダイオード２１２、２１６の温度を同じまたは近くにすることが容易である。
【００４１】
＜バイアス回路の具体例＞
図３は、本発明の第１実施形態に係る電圧検出回路３１１の回路構成を示す図である。
電圧検出回路３１１は、図２に示される電圧検出回路１２の具体例である。
電圧検出回路３１１は、コイル２１１と、ダイオード２１２と、コンデンサ２１３と、抵抗２１４と、抵抗２１５と、ダイオード２１６と、バイアス回路３２１を備える。
また、図３には、電圧検出回路３１１によって検出された電圧が出力される端子である電圧検出端子１０１１〜１０１２を示してある。
ここで、電圧検出回路３１１は、図２に示される電圧検出回路１２と比べて、バイアス回路３２１の部分（図２の例では、バイアス回路２１７に関する部分）の回路構成の具体例を示してある。
以下では、バイアス回路３２１について詳しく説明する。
【００４２】
バイアス回路３２１は、電圧源３３１と、抵抗３３２を備える。
電圧源３３１の一端と、コイル２１１の他端とが接続されている。電圧源３３１の他端と、抵抗３３２の一端とが接続されている。抵抗３３２の他端と、抵抗２１５の他端とダイオード２１６のアノード端子との間の点とが接続されている。
電圧源３３１は、一定の電圧を出力する。これにより、バイアス回路３２１によって、ダイオード２１６に流される電流の電流値が、入力電圧Ｖｉｎによらずに、一定に固定されている。
【００４３】
これにより、バイアス回路３２１は、特定の入力電圧Ｖｉｎにおけるダイオード２１２の順方向電圧降下の温度特性がダイオード２１６の順方向電圧降下の温度特性によって打ち消されるように、補償を制御する。これにより、このような特定の入力電圧Ｖｉｎの前後の所定の範囲の入力電圧についても、温度特性のずれが許容される範囲で、ダイオード２１２の順方向電圧降下の温度特性を補償することができるという効果が得られる。
【００４４】
＜変形例＞
ここで、抵抗２１４あるいは抵抗２１５などの抵抗としては、必ずしも抵抗素子でなくてもよく、抵抗成分があればよく、例えば、他の回路素子が有する抵抗成分が用いられてもよい。
コンデンサ２１３などのコンデンサとしては、容量があればよく、例えば、他の回路素子が有する容量が用いられてもよく、あるいは、寄生容量が用いられてもよい。
ダイオード２１２の部分は、２個以上のダイオードの組み合わせから構成されてもよい。
ダイオード２１６の部分は、２個以上のダイオードの組み合わせから構成されてもよい。
ダイオード２１２とダイオード２１６とは、これらのそれぞれが２個以上のダイオードから構成される場合、同じ構成であってもよく、あるいは、異なる構成であってもよい。ダイオード２１２の構成およびダイオード２１６の構成としては、温度補償が実現されればよく、様々な構成が用いられてもよい。
【００４５】
本実施形態では、整流用のダイオードとして、１個のダイオード２１２が用いられており、半波整流が行われている。他の例として、全波整流が行われてもよく、例えば、ダイオード２１２の代わりに、少なくとも１個が逆向きに配置される複数のダイオードの組み合わせが用いられてもよい。
【００４６】
本実施形態では、電圧検出回路１２に平滑化用のコンデンサ２１３が備えられて、平滑化された直流安定電圧が制御回路１３の側へ送られるが、他の構成例として、このような平滑化用のコンデンサ２１３が備えられなくてもよい。この場合、整流された電圧がそのままパルス直流電圧として、制御回路１３によって信号処理されてもよい。
【００４７】
電源装置１は、様々な電気機器で使用されてもよい。
一例として、電源装置１は、電気自動車（ＥＶ：Ｅｌｅｃｔｒｉｃ  Ｖｅｈｉｃｌｅ）などの乗り物に搭載される高電圧電源として使用されてもよい。この場合、温度の変動、および、入力電圧Ｖｉｎの変動が発生し得る。
また、本実施形態では、電圧検出回路１２が電源装置１に適用された場合を示したが、電圧検出回路１２は、電源以外の様々な装置に適用されてもよい。
【００４８】
＜構成例＞
一構成例として、電圧検出回路（図２の例では、電圧検出回路１２）において、次のような構成とした。
電圧検出回路は、トランス（図２の例では、トランス１０１）によって伝達される検出対象の電圧を受ける第１のコイル（図２の例では、コイル２１１）と、第１のコイルによって受けられた電圧を整流する第１のダイオード（図２の例では、ダイオード２１２）と、第１のダイオードによって整流された電圧が印加される第１の抵抗成分（図２の例では、抵抗２１４）と、第１のダイオードと極性が一致するように配置された第２のダイオード（図２の例では、ダイオード２１６）と、第２のダイオードと直列に配置された第２の抵抗成分（図２の例では、抵抗２１５）と、第２のダイオードと第２の抵抗成分との組み合わせの両端に設けられた電圧検出端子（図２の例では、電圧検出端子１０１１〜１０１２）と、を備える。
第１のコイルに第１のダイオード、第１の抵抗成分、第２の抵抗成分、第２のダイオードが接続されている。
第２の抵抗成分および第２のダイオードは、第１のコイルに対して第１のダイオードよりも電圧検出端子の側に配置されている。
第１のダイオードの順方向電圧降下の温度特性と、第２のダイオードの順方向電圧降下の温度特性とは、同じまたはほぼ同じである。
【００４９】
一構成例として、電圧検出回路において、第２の抵抗成分と第２のダイオードとの間の点と接続されるバイアス回路（図２の例では、バイアス回路２１７）を備える。
一構成例として、電圧検出回路（図３の例では、電圧検出回路３１１）において、バイアス回路（図３の例では、バイアス回路３２１）は、第２のダイオードに一定の電流を流す。
一構成例として、電圧検出回路において、第１の抵抗成分の抵抗値Ｒ１と第２のダイオードの順方向電圧降下の電圧値Ｖｆ２との積（本実施形態では、Ｒ１＊Ｖｆ２）と、第２の抵抗成分の抵抗値Ｒ２と第１のダイオードの順方向電圧降下の電圧値Ｖｆ１との積（本実施形態では、Ｒ２＊Ｖｆ１）とは、同じまたはほぼ同じである。
一構成例として、電圧検出回路において、第１の抵抗成分の抵抗値と第２の抵抗成分の抵抗値とは、同じまたはほぼ同じである。
一構成例として、電圧検出回路において、第１のダイオードと第２のダイオードは、当該電圧検出回路が備えられる筐体に設けられるヒートシンク（図２の例では、ヒートシンク１４）に配置される。
【００５０】
なお、本実施形態では、コイル（あるいは、インダクタンス）、ダイオード、コンデンサ（あるいは、容量）、抵抗（あるいは、抵抗成分）、トランジスタなどと表現されたそれぞれの回路部分が１個の回路素子を用いて構成される場合を示したが、これらの回路部分のうちの１以上は、例えば、複数個の回路素子を用いて構成されてもよい。一例として、コイルは、１個のコイルから構成されてもよく、あるいは、２個以上のコイルが組み合わされて構成されてもよく、他の回路素子についても同様である。２個以上の回路素子が組み合わされる場合には、例えば、直列の接続が用いられてもよく、並列の接続が用いられてもよく、あるいは、直列と並列との組み合わせの接続が用いられてもよい。
また、第１のコイル、第１のダイオード、第２のダイオード、第１の抵抗成分、第２の抵抗成分などといった表現についても、例えば、それぞれの回路部分は、１個の回路素子を用いて構成されてもよく、あるいは、複数個の回路素子を用いて構成されてもよい。
【００５１】
（第２実施形態）
図４は、本発明の第２実施形態に係る電圧検出回路４１１の回路構成を示す図である。
電圧検出回路４１１は、図２に示される電圧検出回路１２の具体例である。
電圧検出回路４１１は、コイル２１１と、ダイオード２１２と、コンデンサ２１３と、抵抗２１４と、抵抗２１５と、ダイオード２１６と、バイアス回路４２１を備える。
また、図４には、電圧検出回路４１１によって検出された電圧が出力される端子である電圧検出端子１０１１〜１０１２を示してある。
ここで、電圧検出回路４１１は、図２に示される電圧検出回路１２と比べて、バイアス回路４２１の部分（図２の例では、バイアス回路２１７に関する部分）の回路構成の具体例を示してある。
以下では、バイアス回路４２１について詳しく説明する。なお、説明の便宜上、回路素子の一端および他端は、第１実施形態で説明したものと同じとする。
【００５２】
バイアス回路４２１は、増幅器４３１と、抵抗４３２を備える。
増幅器４３１は、例えば、電圧増幅器である。
増幅器４３１が有する２個の入力端子のうちの一方と、ダイオード２１２のカソード端子と抵抗２１４の一端との間の点とが接続されている。増幅器４３１が有する２個の入力端子のうちの他方と、コイル２１１の他端とが接続されている。
増幅器４３１の出力端子と、抵抗４３２の一端とが接続されている。
増幅器４３１は、２個の入力端子に印加される電圧の差分を増幅して出力端子から出力する。
抵抗４３２の他端と、抵抗２１５の他端とダイオード２１６のアノード端子との間の点とが接続されている。
【００５３】
バイアス回路４２１は、入力電圧Ｖｉｎに応じて、増幅器４３１の増幅率を変化させる。増幅器４３１の増幅率を変化させる仕方は、あらかじめ設定される。増幅器４３１の増幅率を変化させる仕方は、それぞれの入力電圧Ｖｉｎについて、ダイオード２１２の順方向電圧降下の温度特性とダイオード２１６の順方向電圧降下の温度特性とが打ち消される度合いが実用上で十分となるように設定される。つまり、温度特性の補償は、完全に補償されることが好ましいが、実用上で有効であれば、多少ずれてもよい。
なお、入力電圧Ｖｉｎに応じて増幅器４３１の増幅率を変化させる仕方は、例えば、当該仕方を表す情報がメモリに記憶されて使用されてもよく、あるいは、当該仕方が回路素子の定数として設定されてもよい。
【００５４】
ここで、ダイオード２１２の順方向電圧降下の温度特性とダイオード２１６の順方向電圧降下の温度特性とが同じである場合、バイアス回路４２１は、入力電圧Ｖｉｎにかかわらずに、増幅器４３１の増幅率を一定に制御してもよい。
また、ダイオード２１２の順方向電圧降下の温度特性とダイオード２１６の順方向電圧降下の温度特性とが異なる場合、バイアス回路４２１は、入力電圧Ｖｉｎに応じて、増幅器４３１の増幅率を変化させる制御を行ってもよい。この場合、例えば、バイアス回路４２１は、入力電圧Ｖｉｎに応じて、ダイオード２１６に流れる電流が変動するように制御する。
【００５５】
＜構成例＞
一構成例として、電圧検出回路（図４の例では、電圧検出回路４１１）において、バイアス回路（図４の例では、バイアス回路４２１）は、第２のダイオードに、第１のコイルによって受けられる電圧の電圧値に応じた電流を流す。
【００５６】
（第３実施形態）
図５は、本発明の第３実施形態に係る電圧検出回路５１１の回路構成を示す図である。
電圧検出回路５１１は、図２に示される電圧検出回路１２の具体例である。
電圧検出回路５１１は、コイル２１１と、ダイオード２１２と、コンデンサ２１３と、抵抗２１４と、抵抗２１５と、ダイオード２１６と、バイアス回路５２１を備える。
また、図５には、電圧検出回路５１１によって検出された電圧が出力される端子である電圧検出端子１０１１〜１０１２を示してある。
ここで、電圧検出回路５１１は、図２に示される電圧検出回路１２と比べて、バイアス回路５２１の部分（図２の例では、バイアス回路２１７に関する部分）の回路構成の具体例を示してある。
以下では、バイアス回路５２１について詳しく説明する。なお、説明の便宜上、回路素子の一端および他端は、第１実施形態で説明したものと同じとする。
【００５７】
バイアス回路５２１は、電流検出回路５３１と、増幅器５３２と、抵抗５３３を備える。
電流検出回路５３１は、ダイオード２１２のカソード端子と抵抗２１４の一端との間に、接続されている。本例では、ダイオード２１２と抵抗２１４とは、電流検出回路５３１を介して、接続されている。
増幅器５３２の入力端子と、電流検出回路５３１の出力端子とが接続されている。
増幅器５３２の出力端子と、抵抗５３３の一端とが接続されている。
抵抗５３３の他端と、抵抗２１５の他端とダイオード２１６のアノード端子との間の点とが接続されている。
増幅器５３２は、入力端子に印加される電圧を増幅して出力端子から出力する。
電流検出回路５３１は、自己（当該電流検出回路５３１）に流れる電流の電流値を検出し、検出された電流値に相当する電圧値の電圧を増幅器５３２の入力端子に印加する。
【００５８】
バイアス回路５２１は、入力電圧Ｖｉｎに応じて、増幅器５３２の増幅率を変化させる。増幅器５３２の増幅率を変化させる仕方は、あらかじめ設定される。増幅器５３２の増幅率を変化させる仕方は、それぞれの入力電圧Ｖｉｎについて、ダイオード２１２の順方向電圧降下の温度特性とダイオード２１６の順方向電圧降下の温度特性とが打ち消される度合いが実用上で十分となるように設定される。つまり、温度特性の補償は、完全に補償されることが好ましいが、実用上で有効であれば、多少ずれてもよい。
なお、入力電圧Ｖｉｎに応じて増幅器５３２の増幅率を変化させる仕方は、例えば、当該仕方を表す情報がメモリに記憶されて使用されてもよく、あるいは、当該仕方が回路素子の定数として設定されてもよい。
【００５９】
ここで、ダイオード２１２の順方向電圧降下の温度特性とダイオード２１６の順方向電圧降下の温度特性とが同じである場合、バイアス回路５２１は、入力電圧Ｖｉｎにかかわらずに、増幅器５３２の増幅率を一定に制御してもよい。
また、ダイオード２１２の順方向電圧降下の温度特性とダイオード２１６の順方向電圧降下の温度特性とが異なる場合、バイアス回路５２１は、入力電圧Ｖｉｎに応じて、増幅器５３２の増幅率を変化させる制御を行ってもよい。この場合、例えば、バイアス回路５２１は、入力電圧Ｖｉｎに応じて、ダイオード２１６に流れる電流が変動するように制御する。
【００６０】
＜構成例＞
一構成例として、電圧検出回路（図５の例では、電圧検出回路５１１）において、バイアス回路（図５の例では、バイアス回路５２１）は、第２のダイオードに、第１のダイオードに流れる電流の電流値に応じた電流を流す。
【００６１】
（第４実施形態）
＜電源装置の概要＞
図６は、本発明の第４実施形態に係る電源装置６０１の回路構成を示す図である。
電源装置６０１は、スイッチング電源６１１と、電圧検出回路６１２と、制御回路６１３と、ヒートシンク６１４を備える。
スイッチング電源６１１は、コンデンサ６３１と、４個のトランジスタ６３２〜６３５と、４個のダイオード６３６〜６３９と、制御回路６４０と、トランス６５１と、４個のダイオード６６２〜６６５と、コイル６６６と、コンデンサ６６７を備える。
制御回路６４０は、それぞれのトランジスタ６３２〜６３５を制御する。
トランス６５１は、１次側のコイル６４１と、２次側のコイル６６１と、鉄心６５３を備える。これらのコイル６４１、６６１は、例えば、１次側と２次側で鉄心６５３に巻かれている。
【００６２】
電圧検出回路６１２は、コイル６７１と、４個のダイオード６７２〜６７５と、コンデンサ６７６と、抵抗６７７と、抵抗６７８と、２個のダイオード６７９〜６８０と、バイアス回路６８１を備える。
また、図６には、電圧検出回路６１２によって検出された電圧が出力される端子である電圧検出端子１１１１〜１１１２を示してある。
ここで、コイル６７１は、例えば、トランス６５１の鉄心６５３に巻かれている。なお、図６の例では、説明の便宜上、トランス６５１の鉄心６５３が電圧検出回路６１２のコイル６７１のところまで延びているように図示されているが、トランス６５１の鉄心６５３の形状は特に限定されない。
また、本実施形態では、制御回路６１３の詳しい回路構成については、説明を省略する。電圧検出回路６１２から見て制御回路６１３の側は、例えば、電流が流れない場合、ハイインピーダンスであるとみなされる。
【００６３】
本実施形態では、スイッチング電源６１１において、４個のスイッチング素子であるトランジスタ６３２〜６３５を使用したフルブリッジ方式が用いられている。
また、スイッチング電源６１１において、４個のダイオード６６２〜６６５を使用したフルブリッジ方式の整流回路が用いられている。
【００６４】
同様に、電圧検出回路６１２において、４個のダイオード６７２〜６７５を使用したフルブリッジ方式の整流回路が用いられている。これに合わせるために、ダイオード６７２〜６７５の順方向電圧降下の温度特性を打ち消すための２個のダイオード６７９、６８０が用いられている。
すなわち、直列に配置されたダイオード６７２およびダイオード６７３によって整流する経路と、直列に配置されたダイオード６７４およびダイオード６７５によって整流する経路があり、それぞれの経路について、直列に配置された２個のダイオード６７９〜６８０によって温度補償を行う。
本実施形態では、例えば、それぞれのダイオード６７２〜６７５、６７９〜６８０は、同じまたはほぼ同じ順方向電圧降下の温度特性を有する。
【００６５】
本実施形態に係る電圧検出回路６１２においても、例えば、第１実施形態〜第３実施形態で説明したのと同様な効果を得ることが可能である。
【００６６】
＜構成例＞
一構成例として、電圧検出回路（図６の例では、電圧検出回路６１２）において、次のような構成とした。
電圧検出回路は、トランス（図６の例では、トランス６５１）によって伝達される検出対象の電圧を受ける第１のコイル（図６の例では、コイル６７１）と、第１のコイルによって受けられた電圧を整流する第１のダイオード（図６の例では、ダイオード６７２〜６７５）と、第１のダイオードによって整流された電圧が印加される第１の抵抗成分（図６の例では、抵抗６７７）と、第１のダイオードと極性が一致するように配置された第２のダイオード（図６の例では、ダイオード６７９〜６８０）と、第２のダイオードと直列に配置された第２の抵抗成分（図６の例では、抵抗６７８）と、第２のダイオードと第２の抵抗成分との組み合わせの両端に設けられた電圧検出端子（図６の例では、電圧検出端子１１１１〜１１１２）と、を備える。
第１のコイルに第１のダイオード、第１の抵抗成分、第２の抵抗成分、第２のダイオードが接続されている。
第２の抵抗成分および第２のダイオードは、第１のコイルに対して第１のダイオードよりも電圧検出端子の側に配置されている。
第１のダイオードの順方向電圧降下の温度特性と、第２のダイオードの順方向電圧降下の温度特性とは、同じまたはほぼ同じである。
【００６７】
（第５実施形態）
＜電源装置の概要＞
図７は、本発明の第５実施形態に係る電源装置７０１の回路構成を示す図である。
電源装置７０１は、スイッチング電源７１１と、電圧検出回路７１２と、制御回路７１３と、ヒートシンク７１４を備える。
スイッチング電源７１１は、コンデンサ７３１と、２個のトランジスタ７３２〜７３３と、２個のダイオード７３４〜７３５と、制御回路７３６と、トランス７４１と、２個のダイオード７５３〜７５４と、コイル７５５と、コンデンサ７５６を備える。
制御回路７３６は、トランジスタ７３２およびトランジスタ７３３を制御する。
トランス７４１は、１次側の２個のコイル７３７〜７３８と、２次側の２個のコイル７５１〜７５２と、鉄心７４３を備える。これらのコイル７３７〜７３８、７５１〜７５２は、例えば、１次側と２次側で鉄心７４３に巻かれている。
【００６８】
電圧検出回路７１２は、２個のコイル７６１〜７６２と、２個のダイオード７６３〜７６４と、コンデンサ７６５と、抵抗７６６と、抵抗７６７と、ダイオード７６８と、バイアス回路７６９を備える。
また、図７には、電圧検出回路７１２によって検出された電圧が出力される端子である電圧検出端子１２１１〜１２１２を示してある。
ここで、２個のコイル７６１〜７６２は、例えば、トランス７４１の鉄心７４３に巻かれている。なお、図７の例では、説明の便宜上、トランス７４１の鉄心７４３が電圧検出回路７１２のコイル７６１〜７６２のところまで延びているように図示されているが、トランス７４１の鉄心７４３の形状は特に限定されない。
また、本実施形態では、制御回路７１３の詳しい回路構成については、説明を省略する。電圧検出回路７１２から見て制御回路７１３の側は、例えば、電流が流れない場合、ハイインピーダンスであるとみなされる。
【００６９】
本実施形態では、スイッチング電源７１１において、２個のスイッチング素子であるトランジスタ７３２〜７３３を使用したプッシュプル方式が用いられている。
また、スイッチング電源７１１において、２個のダイオード７５３〜７５４を使用したセンタータップ方式の整流回路が用いられている。
【００７０】
同様に、電圧検出回路７１２において、２個のダイオード７６３〜７６４を使用したセンタータップ方式の整流回路が用いられている。
本実施形態では、ダイオード７６３によって整流する経路と、ダイオード７６４によって整流する経路があり、それぞれの経路について、ダイオード７６８によって温度補償を行う。
本実施形態では、例えば、それぞれのダイオード７６３、７６４、７６８は、同じまたはほぼ同じ順方向電圧降下の温度特性を有する。
【００７１】
本実施形態に係る電圧検出回路７１２においても、例えば、第１実施形態〜第３実施形態で説明したのと同様な効果を得ることが可能である。
【００７２】
＜構成例＞
一構成例として、電圧検出回路（図７の例では、電圧検出回路７１２）において、次のような構成とした。
電圧検出回路は、トランス（図７の例では、トランス７４１）によって伝達される検出対象の電圧を受ける第１のコイル（図７の例では、コイル７６１〜７６２）と、第１のコイルによって受けられた電圧を整流する第１のダイオード（図７の例では、ダイオード７６３〜７６４）と、第１のダイオードによって整流された電圧が印加される第１の抵抗成分（図７の例では、抵抗７６６）と、第１のダイオードと極性が一致するように配置された第２のダイオード（図７の例では、ダイオード７６８）と、第２のダイオードと直列に配置された第２の抵抗成分（図７の例では、抵抗７６７）と、第２のダイオードと第２の抵抗成分との組み合わせの両端に設けられた電圧検出端子（図７の例では、電圧検出端子１２１１〜１２１２）と、を備える。
第１のコイルに第１のダイオード、第１の抵抗成分、第２の抵抗成分、第２のダイオードが接続されている。
第２の抵抗成分および第２のダイオードは、第１のコイルに対して第１のダイオードよりも電圧検出端子の側に配置されている。
第１のダイオードの順方向電圧降下の温度特性と、第２のダイオードの順方向電圧降下の温度特性とは、同じまたはほぼ同じである。
【００７３】
＜以上の実施形態について＞
以上、本発明の実施形態について図面を参照して詳述したが、具体的な構成はこの実施形態に限られるものではなく、本発明の要旨を逸脱しない範囲の設計変更等も含まれる。
【符号の説明】
【００７４】
１、６０１、７０１…電源装置、１１、６１１、７１１…スイッチング電源、１２、３１１、４１１、５１１、６１２、７１２…電圧検出回路、１３、１１２、６１３、６４０、７１３、７３６…制御回路、１４、６１４、７１４…ヒートシンク、２１、６２１、７２１…負荷、１０１、６５１、７４１…トランス、１１１、６３２〜６３５、７３２〜７３３…トランジスタ、１１３、１３１、１３４、２１１、６４１、６６１、６６６、６７１、７３７〜７３８、７５１〜７５２、７５５、７６１〜７６２…コイル、１２１、６５３、７４３…鉄心、１３２〜１３３、２１２、２１６、６３６〜６３９、６６２〜６６５、６７２〜６７５、６７９〜６８０、７３４〜７３５、７５３〜７５４、７６３〜７６４、７６８…ダイオード、１３５、２１３、６３１、６６７、６７６、７３１、７５６、７６５…コンデンサ、２１４〜２１５、３３２、４３２、５３３、６７７〜６７８、７６６〜７６７…抵抗、２１７、３２１、４２１、５２１…バイアス回路、３３１…電圧源、４３１、５３２…増幅器、５３１…電流検出回路、１０１１〜１０１２、１１１１〜１１１２、１２１１〜１２１２…電圧検出端子
【図１】
2020112484.tif 000004
【図２】
2020112484.tif 000005
【図３】
2020112484.tif 000006
【図４】
2020112484.tif 000007
【図５】
2020112484.tif 000008
【図６】
2020112484.tif 000009
【図７】
2020112484.tif 000010